(57)【特許請求の範囲】
【請求項１】
少なくとも前後一対のニードルベッドを先端部を突き合わせた状態で配置し、その何れか一方または双方のニードルベッドが他方のニードルベッドに対し左右ラッキング可能に構成されると共に、該ニードルベッドの上方には複数の給糸口を有する横編機を用いて編成される編地を編み幅の途中で第１の編成領域と第２の編成領域とに左右に分岐させて編成する方法は、以下の工程を含むことを特徴とする分岐部を有する編地の編成方法；
１）編地の分岐に先だって編地のコース編成を行う間に、編地の裏側で分岐部を挟んで左右一対の増し目ループを形成する工程、
２）分岐部を挟む編地の、表側の左右一対の編目ループのそれぞれを分岐部の境界を越えて交差させ、前記工程１で形成された左右一対の増し目ループのそれぞれを分岐部の境界を越えて交差させる工程。
【請求項２】
前記編目ループを交差させる工程は、
編地の表側で分岐部を挟んで左右一対の編目ループを目移しにより交差させて入れ替えた後、前記工程１で形成された増し目ループ同士を交差させ、前記分岐部の境界を越えて移された表側の編目ループにそれぞれ重ねる工程、
の順で行われることを特徴とする、請求項１に記載の分岐部を有する編地の編成方法。
【請求項３】
横編機を用いて編成された編地は編み幅の途中で第１の編成領域と第２の編成領域とに左右分岐した分岐部を有し、分岐部を挟んで編地の裏側で形成された左右一対の増し目ループのそれぞれが分岐部を越えて交差し、分岐部を挟む編地の表側の左右一対の編目ループのそれぞれが分岐部を越えて交差し、かつ重ねられていることを特徴とする、分岐部を有する編地。
【請求項４】
少なくとも前後一対のニードルベッドを先端部を突き合わせた状態で配置し、その何れか一方または双方のニードルベッドが他方のニードルベッドに対し左右ラッキング可能に構成されると共に、該ニードルベッドの上方には複数の給糸口を有する横編機を用いて編成される編地の編み幅の途中で第１の編成領域と第２の編成領域とに左右に分岐される分岐部を、分岐部の中央に位置する少なくとも一つの分岐側端ループと、該分岐側端ループを挟んでその両側に位置する交差ループ群で構成し、分岐側端ループと一方の交差ループ群との間に他方の交差ループ群を挟むように分岐側端ループと一方の交差ループ群のループを重ねて分岐部を形成する方法は以下の工程を含むことを特徴とする分岐部を有する編地の編成方法；
１）交差ループ群をそれそれ分岐部の境界を越えて移動させて交差ループ群同士を交差させる工程、
２）分岐側端ループと一方の交差ループ群の何れかのループを重ねる工程。
【請求項５】
横編機を用いて編成された編地は編幅の途中で第１の編成領域と第２の編成領域とに左右に分岐し、その中央部に位置する少なくとも一つの分岐側端ループと、該分岐側端ループを挟んでその両側に位置する交差ループ群で構成される分岐部において、分岐側端ループと一方の交差ループ群との間に他方の交差ループ群が挟まれるように分岐側端ループと一方の交差ループ群のループが重ねられていることを特徴とする、分岐部を有する編地。
【発明の詳細な説明】
技術分野
本発明は、編み幅の途中で編地を左右に分岐させた編地とその編成方法に係わり、特に編地の分岐部の強度を上げることに関する。
背景技術
編み幅の途中で左右に分岐させた編地には、Ｖネックのベストやセーターなどがある。このような編地が編み幅の途中で左右に分岐された分岐部を有するニット製品を着用するとき、分岐部で左右に分岐された第１の編成領域と第２の編成領域はそれぞれ左側および右側に引っ張られ、分岐部には横方向に張力がかかる。そして分岐部の編糸にその編糸の伸度を越えるような大きな張力がかかった時にはその編糸は切れてしまう。
例えばＶネックのベストの前身頃の編成を行う場合、まず１つの給糸口を使用して衿首の分岐部が形成される編目コースまでの全幅部の編成を行う。そして分岐部から左肩部と右肩部に左右に分岐させて編成を行い、衿首を形成する。
右肩部の編成には、全幅部の編成で使用してきた給糸口をそのまま使用して編成を行い、左肩部の編成にはそれまで使用してきた給糸口に換えて他の給糸口を使用する。
Ｖネックのベストの前身頃の編成で、分岐部を形成する従来の編成方法を３種類説明する。まず１番目の編成方法は、第８図に示した編地１００のループ図のように、分岐部１０１から単に左肩部１０２と右肩部１０４とに左右に分岐して編成を行う方法がある。
従来の編成方法の２番目としては、第９図に示した編地１０６のループ図のように分岐部１０８を挟む編地１０６の表側の左右一対の編目ループ１１０，１１２を分岐部１０８の境界Ｘを越えて交差させる方法がある。
また、３番目の編成方法としては、第１０図に示した編地１１８における分岐部１２０のループ図のように編地１１８の左右２個ずつの編目ループ１２２，１２４，１２６，１２８を、分岐部１２０の境界Ｘを越えて交差させる方法もある。
しかしながら上記で説明した従来の編成方法では次のような問題がある。
まず１番目の編成方法の場合、分岐部１０１では１本の編糸で左肩部１０２と右肩部１０４とをつないでいることになる。しかし１本の編糸では分岐部１０１における十分な強度を得ることができない。
次に２番目の編成方法の場合、左右一対の編目ループ１１０，１１２の合計４本の編糸が分岐部１０８で左肩部１１４と右肩部１１６とをつなぐことになり横方向にかかる張力が分散し、第８図の編地のように１本の編糸でつなぐ時と比較して４倍強度を上げることができる。また左右一対の編目ループ１１０，１１２のみを交差させるので、分岐部を上方から見ても交差させた編目ループ１１０，１１２は前後方向へほとんど分岐せず、編地の外観を損ねることはない。
しかしながら編糸の種類等にもより、分岐部の境界を越えて左右一対の編目ループを交差させただけでは、まだ分岐部の強度が不足する場合がある。
３つ目の編成方法の場合、左右２個ずつの編目ループ１２２，１２４，１２６，１２８の合計８本の編糸が分岐部１２０で左肩部と右肩部をつなぐことになる。これにより横方向にかかる張力が分散し、分岐部１２０を強化することができる。しかしこの編成方法で編成された編地１１８の分岐部１２０は編地表側の左右２個ずつの編目ループ１２２，１２４，１２６，１２８を交差させるために分岐部を上方から見ると、交差させた左右２個ずつの編目ループ１２２，１２４と編目ループ１２６，１２８は前後方向に大きく分岐してしまい、編地の外観を損ねてしまう。
そこで本発明は、上記従来技術の問題を解決し、編地における分岐部の強化を外観を損なうことなく行うことのできる編地の編成方法と、分岐部の強度が上げられた美しい編地を提供することを目的とする。
発明の開示
上記の目的を達成するために本発明は、少なくとも前後一対のニードルベッドを先端部を突き合わせた状態で配置し、その何れか一方または双方のニードルベッドが他方のニードルベッドに対し左右ラッキング可能に構成されると共に、該ニードルベッドの上方には複数の給糸口を有する横編機を用いて編成される編地を編み幅の途中で第１の編成領域と第２の編成領域とに左右に分岐させて編成する方法は、以下の工程を含むことを特徴とする；
１）編地分岐に先だって編地のコース編成を行う間に、編地の裏側で分岐部を挟んで左右一対の増し目ループを形成する工程、
２）分岐部を挟む編地の表側の左右一対の編目ループと前記工程で形成された左右一対の増し目ループの２組の編目ループを分岐部の境界を越えて交差させる工程。
好ましくは、前記２組の編目ループを交差させる工程は、編地の表側で分岐部を挟んで左右一対の編目ループを目移しにより交差させて入れ替えた後、前記工程１で形成された増し目ループ同士を交差させ、前記分岐部の境界を越えて移された表側の編目ループにそれぞれ重ねる工程、
の順で行われることを特徴とする。
また本発明の分岐を有する編地は、横編機を用いて編成された編地は編み幅の途中で第１の編成領域と第２の編成領域とに左右分岐した分岐部を有し、分岐部を挟んで編地の裏側で形成された左右一対の増し目ループと、分岐部を挟む編地の表側の左右一対の編目ループのそれぞれが分岐部を越えて交差し、かつ重ねられていることを特徴とする。
また本発明は、少なくとも前後一対のニードルベッドを先端部を突き合わせた状態で配置し、その何れか一方または双方のニードルベッドが他方のニードルベッドに対し左右ラッキング可能に構成されると共に、該ニードルベッドの上方には複数の給糸口を有する横編機を用いて編成される編地の編み幅の途中で第１の編成領域と第２の編成領域とに左右に分岐される分岐部を、分岐部の中央に位置する少なくとも一つの分岐側端ループと、該分岐側端ループを挟んでその両側に位置する交差ループ群で構成し、分岐側端ループと一方の交差ループ群との間に他方の交差ループ群を挟むように分岐側端ループと一方の交差ループ群のループを重ねて分岐部を形成する方法は以下の工程を含む；
１）交差ループ群をそれそれ分岐部の境界を越えて移動させて交差ループ群同士を交差させる工程、
２）分岐側端ループと一方の交差ループ群の何れかのループを重ねる工程。
また本発明の横編機を用いて編成された編地は、編幅の途中で第１の編成領域と第２の編成領域とに左右に分岐し、その中央部に位置する少なくとも一つの分岐側端ループと、該分岐側端ループを挟んでその両側に位置する交差ループ群で構成される分岐部において、分岐側端ループと一方の交差ループ群との間に他方の交差ループ群が挟まれるように分岐側端ループと一方の交差ループ群のループが重ねられていることを特徴とする。
発明を実施するための最良の形態
本発明の実施例を図面と共に説明する。本発明は少なくとも前後一対のニードルベッドを先端部を突き合わせた状態で、その何れか一方または双方のニードルベッドが他方のニードルベッドに対し左右ラッキング可能に構成されると共に、該ニードルベッドの上方に複数の給糸口を有する横編機で実施可能であるが、以下の説明では前後一対のベッドを備えた二枚ベッド横編機で、後ベッドが前ベッドに対しラッキング可能な横編機を使用し、針数を実際の編成より少なくして説明を行う。
第１図は第一実施例により編成されるＶネックのベストの前身頃を示す図である。本実施例で編成されるベストの前身頃１は天竺編成により編まれ、第１図で示すように矢印Ｗの方向に向かって分岐部２まで編成される全幅部４と、分岐部２から左右に分岐して編成される第１の編成領域としての右肩部６と、第２の編成領域としての左肩部８とからなる。
全幅部４および右肩部６は給糸口１０を使用して編成され、左肩部８は給糸口１２を使用して編成される。破線Ｘ−Ｘは分岐部２における境界を示す。以下、分岐部２における編成を第一実施例〜第四実施例として説明する。
＜第一実施例＞
第２図及び第３図において図中左側の数字は編成コースナンバーを示し、編成コースナンバー右側の左右方向の矢印は給糸口１０，１２の移動方向を、上下方向の矢印は目移し方向を示し、更にその右側のＦＢ，ＢＢはそれぞれ前ベッドと後ベッドを示す。コース１の上下に配したアルファベットは針記号を示し、大文字のＡ〜Ｌは前ベッドＦＢの編針を、また小文字のａ〜ｌは後ベッドＢＢの編針を示す。
第２図の編成コース１は前身頃１の全幅部４の編成を示し、給糸口１０が不図示のキャリッジにより左方向に移動され、前ベッドＦＢの編針Ｌ〜Ａに対して給糸が行われてループが形成される。
コース２では、給糸口１０を右方向に移動させ前ベッドＦＢの編針Ａ〜Ｆに対して給糸してループを形成する。給糸口１０を後ベッドＢＢの編針ｅの左側まで戻して、コース３で後ベッドＢＢのループを係止していない編針ｅに給糸してタック１４を行った後、コース４では給糸口１０を右方向に移動させて後ベッドＢＢの編針ｈに給糸してタック１６を行う。続いて給糸口１０を前ベッドＦＢの編針Ｇの左側まで戻し、コース５で給糸口１０を右方向に移動させて前ベッドＦＢの編針Ｇ〜Ｌに対して給糸してループを形成する。
次にコース６では、給糸口１０を左方向に移動させ前ベッドＦＢの編針Ｌ〜Ｇに対して給糸してループを形成する。そして給糸口１０を後ベッドＢＢの編針ｈの右側まで戻して、コース７で後ベッドＢＢの編針ｈ・ｅに給糸してループ１８，２０を形成する。このようにして編地１の裏側となる後ベッドＢＢの編針ｈ・ｅに形成されたループ１８，２０は増し目ループとして係止しておく。
そして給糸口１０を前ベッドＦＢの編針Ｆの右側に移動させ、コース８で給糸口１０を左方向移動させて前ベッドＦＢの編針Ｆ〜Ａに対して給糸してループの形成を行う。次にコース９では、給糸口１０を反転させて右側に移動し、前ベッドＦＢの編針Ａ〜Ｆに給糸してループを形成する。
コース１０では、前ベッドＦＢの編針Ｆに係止されていたループ２２を後ベッドの編針ｆに目移しする。給糸口１０を反転させて、コース１１で後ベッドＢＢの編針ｆに対して給糸してループ２４を形成すると共に、前ベッドＦＢの編針Ｅ〜Ａに対しても給糸してループを形成する。
次にコース１２で給糸口１２を左方向に移動して前ベッドＦＢの編針Ｌ〜Ｇに対して給糸してループを形成する。コース１３では前ベッドＦＢの編針Ｇに係止されていたループ２６を後ベッドＢＢの編針ｇに目移しする。そして給糸口１２を反転させ、コース１４で後ベッドＢＢの編針ｇに対して給糸してループ２８を形成すると共に、前ベッドＦＢの編針Ｈ〜Ｌに対して給糸を行いループを形成する。
そしてコース１５で後ベッドＢＢの編針ｆに係止したループ２４を前ベッドＦＢの編針Ｇに目移しする。コース１６では後ベッドＢＢの編針ｇに係止していたループ２８を前ベッドＦＢの編針Ｆに目移しする。これにより、編地の表側の左右一対のループ２４，２８の分岐部境界を越えての交差は完了する。
次にコース１７では後ベッドＢＢの編針ｅに係止されていたループ２０を前ベッドＦＢの編針Ｇに目移しし、編針Ｇに係止されていたループ２４と重ねることで重ね目３０を形成する。コース１８では後ベッドＢＢの編針ｈに係止していたループ１８を前ベッドＦＢの編針Ｆに目移しし、編針Ｆに係止されていたループ２８と重ねることで重ね目３２を形成する。これにより編地１の裏側で分岐部２を挟んで左右一対に形成した増し目ループ１８，２０の交差は完了する。
そして、コース１９で給糸口１０を右方向に移動させ、前ベッドＦＢの編針Ａ〜Ｆに給糸してループを形成した後、コース２０では給糸口１０を反転させて前ベッドＦＢの編針Ｆ〜Ａに給糸して右肩部６の編成を行う。
コース２１では給糸口１２を左方向に移動させて前ベッドＦＢの編針Ｌ〜Ｇに給糸を行ってループを形成し、コース２２では後給糸口１２を反転させ前ベッドＦＢの編針Ｇ〜Ｌに給糸して左肩部８の編成を行う。
以後、右肩部６および左肩部８の編成が引き続いて行われる。
第４図はから分かるように、分岐部２を挟む編地１の表側の左右一対のループ２４，２８を交差させた後に、編地１の裏側で形成していた分岐部２を挟んで左右一対のループ１８，２０を交差させ、分岐部２の境界を越えて移された表側のループ２４，２８にそれぞれ重ねて重ね目３０，３２としている。これにより編地１の分岐部２は８本の編糸で第１の編成領域である右肩部６と第２の編成領域である左肩部８とをつなぐことになり、分岐部２の強度を上げることができる。
また第一実施例により編成される編地１の分岐部２を形成するループ２４，２８，２０，１８は、左右交互に目移ししているため編地１の分岐部２は前後方向に分岐せず編地１の外観を損ねることはない。
なお、第一実施例の編成方法により編地１を編成した時に、分岐部の境界を越えて交差させる編地１の表側の左右一対のループ２４，２８よりも前に形成された前ベッドＦＢの編針Ｆ，Ｇでのループの数が多いために、分岐部２を形成するループにたるみが生じることで編地に孔が発生するような場合には、コース２における前ベッドＦＢの編針Ｆ，コース５における前ベッドＦＢの編針Ｇ，コース６における前ベッドＦＢの編針Ｇ，コース８における前ベッドＦＢの編針Ｆ，コース９の前ベッドＦＢの編針Ｆ，コース１２の前ベッドＦＢの編針Ｇ，にループを形成しないでミスさせるといい。
＜第二実施例＞
次に本発明の第二実施例を説明する。第一実施例では、編地の表側で分岐部を挟んで左右一対のループを目移しにより交差させて入れ替えた後、編地の分岐に先だって編地の裏側で形成した分岐部を挟んだ左右一対の増し目ループを交差させて、分岐部の境界を越えて移された表側のループにそれぞれ重ねるようにした。第二実施例では、編地の表側で分岐部を挟んで左右一対のループと、編地分岐に先だって編地のコース編成を行う間に、編地の裏側で形成された分岐部を挟んだ左右一対の増し目ループとを互いに先に重ねて重ね目とした状態で、分岐部の境界を越えて交差させる。第二実施例により編成された編地分岐部のループ図が第５図である。
第二実施例においても、分岐部３４を挟む編地３６の表側の左右一対のループ３８，４０と、分岐部３４を挟む編地３６の裏側の左右一対の増し目ループ４２，４４の２組のループを分岐部３４の境界を越えて交差させるため、編地３６の右肩部と左肩部とは分岐部で合計８本の編糸によりつながった状態となっているため、第二実施例と同等の強度を分岐部３４付与することができる。
また第二実施例により編成できる編地３６の分岐部３４は、第一実施例での編地１の分岐部２に比べて多少前後方向に開くが、編地３６の外観を損ねるほどではない。
また上記の実施例では、編地の表側で分岐部を挟んで左右一対のループを目移しにより交差させて入れ替えた後で、増し目ループ同士を交差させ、分岐部の境界を越えて移された表側の編目ループにそれぞれ重ねるようにしているが、これはループを重ねる順序を逆にしても構わないし、また交差させた１組のループの上にもう１組のループを重ねず、他のループに重ねるようにしても構わない。
また上記実施例では、増し目ループは編地裏側のループを係止していない編針にタックした後ループを形成したが、これは割り増やしによりループを形成し、形成されたループを増し目ループとしても構わない。
また上記実施例では、左右一対の増し目ループ及び編地表側の左右一対の編目ループには、それぞれ２個ずつの編目ループを交差させているが、この左右一対とは２個の編目ループに限られない。例えば、従来技術で説明した第８図の編地１１８のように編地表側の左右２個ずつの編目ループを交差させ、交差させた編目ループ１２２，１２６の上に増し目ループを交差させて重ねることも可能である。
＜第三実施例＞
次に第６図を使用して第三実施例を説明する。第三実施例のコース１では給糸口４０を左方向に移動させ前ベッドＦＢの編針Ｌ〜Ａに対して給糸し全幅部４を編成する。コース２で給糸口４０を右方向に移動させて前ベッドＦＢの編針Ａ〜Ｆに給糸してループを形成する。コース３では給糸口４０を反転させて前ベッドＦＢの編針Ｆ〜Ａに給糸してループを形成する。次にコース４では新たに編成に給糸口４２を追加し、給糸口４２で前ベッドＦＢの編針Ｌ〜Ｈに給糸してループを形成し、コース５では給糸口４２を反転させて前ベッドＦＢの編針Ｈ〜Ｌに給糸してループを形成する。以上コース２〜５の編成は続く編成ステップにおいて交差ループ群を交差させた時に分岐部が突っ張るのを防止する分離編であり必ずしも必要な編成ではない。
以降分岐部の形成を開始するが、第三実施例は分岐部の中央に位置するループ（以下分岐側端ループと呼ぶ）と分岐側端ループを挟んでその両側に位置するループ群（以下、交差ループ群と呼ぶ）の何れかのループを重ねる際に、交差ループ群のループをそれぞれ分岐部の境界を越えて反対側に移動させて交差ループ群同士を交差させるとともに、分岐側端ループと一方の交差ループ群との間に他方の交差ループ群を挟むように分岐側端ループと一方の交差ループ群のループを重ねて分岐部を形成する。
第三実施例では分岐に隣接する編針Ｇに係止されるループ４４が分岐側端ループであり、編針Ｅ・Ｆに係止されるループ４６，４８および編針Ｈ・Ｉに係止されるループ５０，５２が交差ループ群である。
コース６では前ベッドＦＢの編針Ｇに係止される分岐側端ループ４４およびその両側に位置する編針Ｅ・Ｆに係止される交差ループ群のループ４６，４８と編針Ｈ・Ｉに係止される交差ループ群のループ５０，５２を後ベッドＢＢの編針ｅ〜ｉに目移しし、交差ループ群同士を交差させる準備を行う。続いてコース７では後ベッドＢＢの編針ｈ・ｉに係止される交差ループ群のループ５０，５２を前ベッドＦＢの編針Ｅ・Ｆに目移し、コース８では後ベッドＢＢの編針ｅ・ｆに係止される交差ループ群のループ４６，４８を前ベッドＦＢの編針Ｈ・Ｉに目移ししてコース７で目移しした交差ループ群と交差させる。続いてコース９では前ベッドＦＢの編針ｇの分岐側端ループ４４を前ベッドＦＢの編針Ｆに目移しし交差ループ群のループ５２と重ねる。以上の編成を行うことで分岐部の編成が完了し、続く編成ステップにおいて前ベッドの編針Ａ〜Ｆおよび編針Ｈ〜Ｌに係止されるループに次コースのループを形成し第１の編成領域と第２の編成領域の編成が行われる。
上記した編成を行うことにより、分岐部において交差ループ群のループ５２と分岐側端ループ４４が重ね合わされて交差ループ群のループ５２と分岐側端ループ４４が綴じられる。本実施例では、分岐側端ループ４４をコース７で先に前ベッドＦＢに移した交差ループ群のループ５２と重ねているので、分岐側端ループ４４と交差ループ群のループ５２の間にコース８で前ベッドに移した交差ループ群が挟み込まれる。したがって分岐部が引っ張られても交差ループ群が前後に開かず見栄えのよい分岐部となる。なお、上記実施例ではコース２〜５において分岐側端ループを係止した編針Ｇで分離編を行っていないが、このようにすることで分岐側端ループと交差ループ群間の間隔が狭まり、交差ループ群が前後方向により開き難くなる。
＜第四実施例＞
次に第７図を使用して第四実施例を説明する。第四実施例は第三実施例のバリエーションである。第７図のコース１で給糸口５０で前ベッドＦＢの編針Ｌ〜Ａに給糸した後、コース２およびコース３で編針Ａ〜Ｅに給糸口５０で給糸し、続いてコース４およびコース５では給糸口５２で前ベッドＦＢの編針Ｈ〜Ｌに給糸して分離編を行う。コース６では分岐部の左右両側に位置する編針Ｆおよび編針Ｇの分岐側端ループ５４，５６と、これら分岐側端ループの外側に位置する編針Ｄ・Ｅの交差ループ群のループ５８，６０および編針Ｈ・Ｉの交差ループ群のループ６２，６４をそれぞれ後ベッドＢＢの編針に目移しする。
コース７では、後ベッドの編針ｈ・ｉに係止される交差ループ群のループ６２，６４を分岐部の境界を越えて前ベッドの編針Ｄ・Ｅに目移しし、コース８では後ベッドの編針ｄ・ｅに係止される交差ループ群のループ５８，６０を分岐部の境界を越えて前ベッドの編針Ｈ・Ｉに目移し交差ループ群同士を交差させる。続いてコース９では、後ベッドＢＢの編針ｇに係止される分岐側端ループ５６を前ベッドＦＢの編針Ｅに目移しし、交差ループ群のループ６４と重ねる。コース１０では後ベッドＢＢの編針ｆに係止される分岐側端ループ５４を前ベッドＦＢの編針Ｈに目移しし、交差ループ群のループ５８と重ねる。以上の編成を行うことで分岐部の編成が完了し、続く編成ステップにおいて前ベッドの編針Ａ〜Ｅおよび編針Ｈ〜Ｌに係止されるループに次コースのループを形成し第１の編成領域と第２の編成領域の編成が行われる。
上記した編成を行うことにより、コース７・９の編成により重ねられた分岐側端ループ５６と交差ループ群のループ６４の間にもう一方の交差ループ群のループ５８，６０が挟まれ、コース８・１０の編成により重ねられた分離側端ループ５４と交差ループ群のループ５８，６０の間に分岐側端ループ５６が挟まれるため、分岐部が左右に引かれても交差ループ群が前後に開かず見栄えのよい分岐部を形成できる。
上記実施例では、Ｖネックのベストについての説明を行ったが、これは分岐部を有する編地であれば実施可能で、例えばＵネックのベストやセーターや伏せ目処理の開始箇所などにも実施することが可能である。さらに無縫製編地におけるネックや伏せ目処理開始箇所およびベストの脇部分の開始箇所などにも本発明を適用することができる。また、上記実施例では、無地のＶネックベストの編成について説明を行ったが、本発明はワイドリブにより編成される編地についても同様に実施することができる。
以上、本発明の好適な実施例を示したが、本発明は上記実施例に限定されるものではなく、本発明の主旨に逸脱しない範囲において実施可能である。
産業上の利用可能性
本発明では、分岐部を有する編地は、分岐部を挟んで編地の裏側で形成された左右一対の増し目ループと、分岐部を挟む編地の表側の左右一対の編目ループのそれぞれが分岐部を越えて交差し、かつ重ねられる。このため、編地の分岐部は２組の編目ループの合計８本の編糸で第１の編成領域と第２の編成領域とをつなぐため、編地における分岐部の強度を上げることができる。
また、分岐部の強度を上げるための増し目ループは編地の裏側で形成されるため、編地の分岐部を上方から見ても分岐部を形成する編目ループの前後方向への分岐はほとんどないので、編地の外観を損なうことはない。
また、本発明によれば分岐部に隣接する分岐側端ループを挟んでその外側に位置する交差ループ群をそれぞれ分岐部の境界を越えて移動させて交差ループ群同士を交差させるとともに、一方の交差ループ群が他方の交差ループ群のループと分岐側端ループの間に挟まれるように重ねるので交差させた交差ループが前後に開くのを防止できるため、編地の外観を損なうことがない。
【図面の簡単な説明】
第１図は本発明により編成されるベストの前身頃を示す図である。第２図は第一実施例を示す編成コース図である。第３図は第一実施例を示す編成コース図である。第４図は第一実施例により編成される編地分岐部のループ図である。第５図は第二実施例により編成される編地分岐部のループ図である。第６図は第三実施例を示す編成コース図である。第７図は第四実施例を示す編成コース図である。第８図は従来の方法により編成される編地のループ図である。第９図は従来の方法により編成される編地のループ図である。第１０図は従来の方法により編成される編地分岐部のループ図である。
【図１】
0003967922.tif 000002
【図２】
0003967922.tif 000003
【図３】
0003967922.tif 000004
【図４】
0003967922.tif 000005
【図５】
0003967922.tif 000006
【図６】
0003967922.tif 000007
【図７】
0003967922.tif 000008
【図８】
0003967922.tif 000009
【図９】
0003967922.tif 000010
【図１０】
0003967922.tif 000011